(57)【要約】      （修正有）【課題】めまい、頭痛、鼻詰まり、肩こり、腰痛、関節痛、不眠といった不快な症状が生じた際に、患部の皮膚表面のツボなどに貼り付け、これらの症状を緩和し、解消するための貼着シート型治療具を提供。【解決手段】紙基材１の表面に鉱石粉体層２を有する貼着シート３を、剥離紙４上に配置してなる貼着シート型治療具であって、鉱石粉体層２は、常温静止状態においてもマイナスイオンを発生する鉱石粉末を含み、１０〜１０００μｍの略均一な厚さであることを特徴とする貼着シート型治療具によって提供。【選択図】図2
0003103228.tif 000002
【実用新案登録請求の範囲】
【請求項１】
紙基材（１）の表面に鉱石粉体層（２）を有する貼着シート（３）を、剥離紙（４）上に配置してなる貼着シート型治療具であって、
鉱石粉体層（２）は、常温静止状態においてもマイナスイオンを発生する鉱石粉末を含み、１０〜１０００μｍの略均一な厚さであることを特徴とする貼着シート型治療具。
【考案の詳細な説明】
【技術分野】
【０００１】
本考案は、貼着シート型治療具に関し、さらに詳しくは、めまい、頭痛、鼻詰まり、肩こり、腰痛、関節痛、吐き気、不眠といった不快な症状が生じた際に、患部の皮膚表面のツボなどに貼り付け、これらの症状を緩和し、解消することができる貼着シート型治療具に関する。
【背景技術】
【０００２】
パソコンなどのＯＡ機器に囲まれた事務室、タバコの煙が立ち込める場所や、新建材の接着剤から放出される溶剤などにより大気の汚染された場所では、プラスイオン（プラスの電気を帯びた非常に微細な微粒子）が増加し、マイナスイオン（マイナスの電気を帯びた非常に微細な微粒子）が不足している状態にある。
【０００３】
このような状態の時には、人体に様々な変調をきたすことが近年の医学的研究で明らかにされている。人体への変調とは、めまい、頭痛、鼻詰まり、肩こり、腰痛、関節痛、吐き気、不眠といった不快な症状である。自動車が撒き散らす排気ガスなどによって酷く汚染された場所では、さらに深刻で、人体がこのような環境に長時間さらされると、肺がん、気管支ぜんそく、アレルギー病など極めて深刻な病気を招くことになると言われている。
【０００４】
これまで肩こり、腰痛、筋肉痛等の自覚症状が生じた場合は、筋肉内の血行をよくし、筋肉の緊張・筋肉の硬化・筋肉組織内の血管の圧迫・血行不良、疲労物質の蓄積というコリの悪循環を断ち切る治療が有効であるとされ、硬くなった筋肉をほぐす働きをするものとして、磁気の曝磁による磁気治療器が広く知られている。
【０００５】
その代表例として、直径が約２０ｍｍである接着基材の貼着面の中央部に、５０〜２００ミリテスラの強さの磁場を有し、かつ小さな円板状のフェライト磁石からなる磁気盤を接着した磁気治療器が市販され、この業界の主流を占めている。
【０００６】
ところが、この磁気盤は小型で、人体への曝磁面積が狭小であるため、集中的な人体への曝磁は可能なものの、広範囲を曝磁するには多数の磁気治療器を貼付することが必要であった。さらに、磁気盤は、人体への押圧効果はあるものの、直径が約５ｍｍ、厚さが約３ｍｍほどなので、局所的な痛みを伴ったり、幼児等が誤って飲み込むという危険も生じていた。
【０００７】
このようなことから、磁気盤の代わりに、粘着性シ−ト基材の接着面にＳ極とＮ極とを交互に着磁した磁性体シ−トを用いた救急絆創膏型式の磁気治療器が提案されている（特許文献１参照）。
【０００８】
しかしながら、こうして磁性体シ−トの救急絆創膏とすることで、肩こりや筋肉痛などによる痛みが軽減され、硬い磁気盤の押圧による痛みや幼児等の誤飲もなくなるが、上記プラスイオンの増加によってもたらされる、めまい、鼻詰まり、頭痛、吐き気、不眠といった不快な症状を十分に緩和することはできない。
【０００９】
これに対して、最近、トルマリンに代表される鉱石が注目され、様々な日用品雑貨（ぬいぐるみ人形や玩具）などに応用されはじめている。
これらの雑貨類は、トルマリンを活用することによって、マイナスイオンを人体に取り入れ、血液浄化、自律神経安定、活性酸素除去等の作用を肉体に与えようというものである。これは肉体だけでなく精神にも作用するため、一時的にせよ気分を清々しくさせるといわれている。
【００１０】
マイナスイオンは、皮膚を通じて、あるいは呼吸によって人体に取り入られるが、マイナスイオンの吸収率は、皮膚から約８５％吸収され、呼吸による吸収率（約１５％）に比べて数倍高いとされている。そのため、トルマリンをシート型に加工して、皮膚に貼るようにすれば前記磁気治療器の問題を解決できると期待される。
【００１１】
しかしながら、トルマリン自体は、マイナスイオンの発生量が６〜８個／ｃｍ３程度と少なく、常温静止状態ではマイナスイオンを発生せず、しかも有害物質や雑菌などが付着すると、その発生量が著しく減少してしまうので所望の治療効果を得ることができない。
このような状況にあって、前記のような肩こりなどの痛みだけでなく、鼻詰まりなどの不快な症状を効果的に解消しうる簡便な治療具の出現が待たれていた。
【特許文献１】特開平１１−２９０４６５号公報
【考案の開示】
【考案が解決しようとする課題】
【００１２】
本考案の目的は、前述した従来技術の問題点に鑑み、めまい、頭痛、鼻詰まり、肩こり、腰痛、関節痛、吐き気、不眠といった不快な症状が生じた際に、患部の皮膚表面のツボなどに貼り付け、これらの症状を緩和し、解消するための貼着シート型治療具を提供することにある。
【課題を解決するための手段】
【００１３】
本考案者は、上記問題点を解決するために鋭意工夫を重ね、モナズ石に代表されるマイナスイオン発生鉱石の粉末は、トルマリンよりも格段にマイナスイオンの発生量が多く、常温静止状態においてもマイナスイオンを発生し、有害物質や雑菌などが付着しても、その発生量が低減しにくいことに着目し、紙基材上にマイナスイオン発生鉱石の粉体層を特定の厚さに形成し、得られた貼着シートを皮膚に貼り付けることで、めまい、頭痛、鼻詰まり、肩こり、腰痛、関節痛、吐き気、不眠といった不快な症状を効果的に緩和、解消しうることを確認して、本考案を完成した。
【００１４】
すなわち、本考案によれば、紙基材（１）の表面に鉱石粉体層（２）を有する貼着シート（３）を、剥離紙（４）上に配置してなる貼着シート型治療具であって、鉱石粉体層（２）は、常温静止状態においてもマイナスイオンを発生する鉱石粉末を含み、１０〜１０００μｍの略均一な厚さであることを特徴とする貼着シート型治療具が提供される。
【考案の効果】
【００１５】
本考案は上記のように、常温静止状態においてもマイナスイオンを発生し、略均一な厚さの鉱石粉体層を紙基材上に形成した貼着シートを特徴とする紙貼着シート型治療具であるために、手軽に使用できるだけでなく、マイナスイオンの皮膚への浸透作用が大きい。この貼着シートを皮膚に貼り付ければ、めまい、頭痛、鼻詰まり、肩こり、腰痛、関節痛、吐き気、不眠といった不快な症状を容易に緩和、解消することができる。
【考案を実施するための最良の形態】
【００１６】
以下に、本考案の貼着シート型治療具を図面に基づいて詳細に説明する。
図１は、本考案の貼着シート型治療具の貼着シート（３）が、鉱石粉体層（２）を担持した紙基材（１）を特徴としたものであり、この貼着シート（３）がパラフィン紙などの剥離紙（４）の上に２０枚配置されている状態を示している。図２は、その縦断面を示したものである。
【００１７】
鉱石粉体層（２）は、マイナスイオン発生鉱石粉体を略均一で特定の厚さに紙基材上へ印刷したものである。
鉱石粉体層（２）を構成するマイナスイオン発生鉱石粉体としては、トルマリンよりも多量のマイナスイオンを発生する鉱石であって、しかも、人体への悪影響の少ない鉱石であれば特に限定されない。したがって、マイナスイオン発生鉱石としては、モナズ石、バストネス石、サマルスキー石、トリウム石、フェルグソン石、カルノー石、トロゴム石、ゼノタイム等の鉱石が挙げられる。
【００１８】
例えば、モナズ石やバストネス石は、常温静止状態においてもマイナスイオンを発生し、その発生量がトルマリンよりも格段に多く、有害物質や雑菌などが付着しても、マイナスイオンの発生量が低減しにくいことから、本考案にとって最も好ましい鉱石である。
【００１９】
モナズ石の組成成分は、産出される場所等によって組成成分が大幅に変動するが、一般的には、ＣｅＯ２（２０〜３５重量％）、Ｐ２０５（１５〜２５重量％）、Ｌａ２Ｏ３（１０〜１５重量％）、Ｎｄ２Ｏ３（５〜１３重量％）、ＴｈＯ２（３〜９重量％）、Ａｌ２０３（２〜５重量％）、Ｇｄ２Ｏ３（２〜５重量％）、ＳｉＯ２（２〜５重量％）が主成分を占めている。
【００２０】
モナズ石は、このほかに、それぞれ１重量％程度のＦｅ２Ｏ３、ＭｇＯ、Ｎａ２Ｏ、Ｔｉ２Ｏ３、Ｂ２Ｏ３、ＣａＯ、Ｋ２Ｏ３、Ｌｉ２Ｏ、Ｙ２Ｏ３、Ｆ、ＺｒＯ２を含み、さらに微少成分として、それぞれ１％未満のＭｎＯ、ＰｂＯ、ＺｎＯ、Ｄｙ２Ｏ３、ＳｎＯ２、Ｕ３Ｏ８などを含有している。これら成分のうち希土類元素（放射性稀有元素）は、いずれもウラン系もしくはトリウム系の半減期の長いものである。
【００２１】
なお、バストネス石は、主にアメリカ合衆国、中国等のカーボナイト鉱床から、チタン、錫、ウラン、トリウム等を採掘した際の副産物として得られるものであり、ＣｅＯ２（２０〜５５重量％）、Ｌａ２Ｏ３（２０〜４０重量％）、Ｆｅ２Ｏ３（８〜１５重量％）などを主成分としている。
【００２２】
鉱石粉末は、できるだけ微粉末にした方が表面積を大きくすることができ、加えてマイナスイオンや放射線の鉱石内吸収も少なくなるので好ましい。例えば平均粒径が０．５〜１０μｍ、特に１〜５μｍであることが好ましい。平均粒径が１０μｍよりも大きいと、紙基材への均一な印刷が困難となり、かつ基材から脱着しやすくなり、一方、平均粒径が０．５μｍよりも小さくするのは治療効果の割に粉砕コストが大きくなるので経済的ではない。
【００２３】
この鉱石粉末を溶剤に溶解し、バインダー樹脂と均一に混合することで、印刷インク（ペースト）を調製する。必要により、肌色の顔料や肌触りや耐久性などを改善するために各種充填材を混合しても良い。
【００２４】
鉱石粉末を溶解する溶剤としては、従来から知られているバインダー樹脂用の有機溶剤を用いることができる。鉱石粉末を樹脂バインダー中に均一に混合させるためには、各種のアニオン系、カチオン系、両性、非イオン系界面活性剤を用いることもできる。
【００２５】
バインダー樹脂は、万一、皮膚に接触しても鉱石や樹脂が付着しないように水不溶性であり、且つマイナスイオン発生鉱石の微粉末から放出されるマイナスイオンの効果を阻害しないものでなければならない。このためには、アクリル樹脂、ウレタン樹脂、エポキシ樹脂やシリコン樹脂系の塗料を用いることができる。これに対して、ポリエチレン樹脂、ポリプロピレン樹脂などのポリオレフィン樹脂は、マイナスイオンの効果を阻害するので好ましくない。
【００２６】
こうしてマイナスイオン発生鉱石の微粉末をバインダー樹脂（溶液）に均一に混合し、得られた印刷インクを紙基材に印刷する。印刷法としては、例えば、シール印刷法、シルクスクリーン法（フラットスクリーンプリント法）、ロールプリント法、ロータリースクリーンプリント法などが採用できる。
このうち好ましいのは、シール印刷法であり、平圧式シール印刷機、輪転式シール印刷機のいずれでも印刷できる。
【００２７】
このほか、本考案の目的を損なわないのであれば、フローティングナイフコーティング法、ナイフオンロールコーティング法、ロールオンロールコーティング法、キスロールコーティング法等のコーティング法を採用することも可能である。
【００２８】
本考案では、貼着シートの基材としてセルローズ系天然繊維からなる紙（和紙でも洋紙でもよい）を用いることを特徴としているが、紙はこれに限定されるわけではなく、本考案の目的を損なわないものであれば、ポリアミド、ポリエステル等の合成繊維の編織物や不織布であってもよい。紙の厚さは、特に限定されないが１０〜８００μｍ、好ましくは２０〜５００μｍ、さらに好ましくは３０〜３００μｍとする。
【００２９】
マイナスイオン発生鉱石の微粉末を含んだ塗料は、紙基材上に層状となるように印刷後、乾燥し、固着せしめる。乾燥、固着の温度は、用いたバインダー樹脂、溶剤の種類によって異なる。乾燥方法は、特に限定されず、送風乾燥機、真空乾燥機、電磁波乾燥機、赤外線乾燥機などを用いて、５０〜１５０℃で行うことが好ましい。乾燥温度は、乾燥温度や乾燥機の種類にもよるが、３分〜３０時間、好ましくは５分〜２４時間とする。
【００３０】
例えば、シルクスクリーン法によって印刷する場合、形成できる鉱石粉体層の厚さは、スクリーンの網の目のサイズによって支配されるが、本考案において重要なことは、鉱石粉体層の厚さが紙基材と同程度、すなわち１０〜１０００μｍ、好ましくは２０〜８００μｍ、さらに好ましくは３０〜５００μｍの厚さになるように、インクの成分、スクリーンの種類を選択することである。所望の厚さが一度に得られない場合は、数回に分けて重ね印刷してもよい。
【００３１】
また、鉱石粉体層からのマイナスイオンの発生量が３０個／ｃｍ３以上、好ましくは３０〜３０００個／ｃｍ３、さらに好ましくは５０〜２０００個／ｃｍ３になるようにする必要がある。マイナスイオンの発生量が３０個／ｃｍ３未満でも、不快な症状を緩和する効果が全く得られないわけではないが、症状を解消するには長時間を要することになる。鉱石粉体層（２）には、その表面を覆うように防水性のコーティング層を設けても良い。
なお、本考案において、マイナスイオンの発生量は、市販のイオン計測器で測定され、その検出表示が安定する２０秒後の数値を示すものとする。
【００３２】
紙基材（１）の他方の面には、接着剤を塗布し、剥離紙（４）の上に貼着シート（３）が配置できるようにする。剥離紙は、パラフィン紙などのように表面が平滑な材料が使用でき、配置した貼着シートがずれにくく、使用時に容易に剥がせるような材料であれば特に限定されない。接着剤は、この分野で使用されているものであれば、特に制限されないが、皮膚に貼着したときに腫れ、カブレ、湿疹などを生じないものを選択しなければならない。人体への貼着部におけるムレを防止するために貼着シ−ト（３）に微小な通気孔を透設することもできる。
【００３３】
図１では、貼着シ−ト（３）として円形のものを例示したが、その形状は円形（楕円含む）に限定されず、三角形、四角形（正方形、長方形、ひし形）など、いかなる形状であってもよい。ただし、角形の場合は、皮膚から剥がれにくくするために面取りしておくことが望ましい。また、その面積も様々なものを用意することができる。通常は、取り扱い上、直径（一辺）が１０〜３０ｍｍ、特に１５〜２０ｍｍのものが好ましい。面積の大きなシ−ト基材を採用すれば、シ−トに多量の鉱石粉末を担持できるため、広範囲な人体へのマイナスイオン作用が可能となるので、治療効果も向上する。
【００３４】
また、本考案は、貼着シートのベースとなる紙基材上にマイナスイオン発生鉱石粉体を含むインクを印刷したものであるために、従来の救急絆創膏型の磁気治療器よりも、肌触りが自然に近く、磁気治療具を貼っていることが他人には分かりにくいものとすることができ、逆に奇抜なマークや絵柄を印刷して若者向きのデザインにすることもできる。
【００３５】
さらに、鉱石粉体層をネット、脱脂綿などを組み合わせれば、傷あてパッド（手当て材）としても活用できる。紙基材の接着面をポリウレタンに載せれば貼着シートに伸縮性をもたせることも可能となる。
【００３６】
本考案の貼着シート型治療具は、１シ−ト毎に貼着シートを５〜３０個、好ましくは１０〜２０個印刷したものを数枚単位として包装し、製品とすることができる。１シ−ト毎に包装すればより清潔であり、鉱石粉末層が印刷された紙基材同士が触れ合って傷つけあうことがなくなる。
【００３７】
本考案の貼着シート型治療具を使用するにあたっては、粘着シ−ト（３）を剥離紙（４）から取り外し、鉱石粉末層（２）側と反対の側（接着面）を不快感のある患部、あるいは人体のツボ又は痛みを有する部位に当接させて貼着する。貼着シートを患部の皮膚に貼り付けることで、鉱石粉体層が発生するマイナスイオンによる効果で、不快な症状をなくし、健康状態を回復することができる。
【００３８】
本考案の貼着シート型治療具は、疲労回復と安眠、病中病後の食欲の増進、体力の回復、消炎作用、抹消血管拡張作用、鎮痛作用（腰痛・頭痛・肩こり・神経痛・五十肩）、抗リウマチ作用、抹消神経に対する作用、血圧調整効果、美容効果（肌の艶と血色）に対して特に大きな効果を期待できる。
このような効果が長期間持続すれば、やがて間接的効果として、便通の正常化、創傷及び潰瘍の修復作用・肉芽形成の促進、造血作用、胃腸に対する作用、強壮作用を向上することが可能となる。
【００３９】
本考案の貼着シート型治療具は、従来の磁気治療器のように硬い部分がなく、鉱石粉体層全体が薄いので皮膚の変形に追従しやすく、皮膚の上で衣類と貼着シートが擦れても、定着力は従来品と比べても遜色なく、貼り方にもよるが、たとえば肩に貼った場合では３６時間もの長時間患部に接着することが可能である。
【実施例】
【００４０】
以下、本考案の実施例について説明するが、本考案はこれらの実施例に限定されるものではない。
【００４１】
（実施例１）
モナズ石の鉱石粉末（平均粒径３μｍ）をバインダー樹脂（アクリル樹脂）と均一に混合し、印刷インクを調製した。次に、平圧式シール印刷機を用いて、紙基材（裏面に接着剤を塗布しパラフィン紙と積層された和紙）の表面に、均一で平均２００μｍの厚さの長方形（８０ｍｍ×１０５ｍｍ）になるように鉱石粉末層を印刷した。
紙基材の鉱石粉末層側から直径１８ｍｍの円が等間隔（前後左右の間隔３ｍｍ）となるようにカットし、円形の貼着シート型が２０枚配置した本考案の貼着シート型治療具を作製した。
この貼着シート型治療具のマイナスイオンをＥＣＯ−ＨＯＬＩＳＴＩＣ  ＩＮＣ製の計測器「イオンテスター」で測定すると、検出表示が安定する２０秒後に３００個／ｃｍ３のマイナスイオンが発生するものであった。
【００４２】
（使用例１）
上記実施例１で得られた本考案の貼着シート型治療具を、慢性的な痛みがある肩（ツボの周囲）に４枚貼った。肩凝りの症状が６〜７時間後には解消された。
【００４３】
（使用例２）
上記実施例１で得られた本考案の貼着シート型治療具を、就寝時に鼻梁の左右に一枚ずつ貼った。風邪の症状である鼻詰まりが４〜５時間後には殆ど解消された。
【産業上の利用可能性】
【００４４】
本考案の貼着シート型治療具を皮膚に貼りつければ、疲労回復と安眠、病中病後の食欲の増進、体力の回復、消炎作用、抹消血管拡張作用、鎮痛作用（腰痛・頭痛・肩こり・関節痛・神経痛・五十肩の治療）、抗リウマチ作用、抹消神経に対する作用、血圧調整効果、美容効果（肌の艶と血色）が得られることから、本考案は特に医療分野や健康産業において大きな利用価値がある。
【図面の簡単な説明】
【００４５】
【図１】本考案の貼着シート型治療具の平面図である。
【図２】本考案の貼着シート型治療具の縦断面図である。
【符号の説明】
【００４６】
１  紙基材
２  鉱石粉末層
３  貼着シート
４  離型紙
【図１】
0003103228.tif 000003
【図２】
0003103228.tif 000004